(57)【要約】【課題】  薄型化、小型化が可能であると共に、操作フィーリングの良好な押釦スイッチを提供する。【解決手段】  収納部１ｂを有するハウジング１と、収納部１ｂの内底面に設けられた固定接点２、３と、固定接点２、３上に配設された可動接点４と、ハウジング１より突出する押圧部７ａを有する操作部材７と、ハウジング１の上面に取付けられた枠体６とを備え、枠体６に可撓性を有する弾性腕部６ｂを形成し、弾性腕部６ｂの上面に押圧部７ａを所定の厚みで突出させて、操作部材７を枠体６に一体に形成し、操作部材７を弾性腕部６ｂを介して可動接点４上に昇降可能に保持した。【選択図】        図４
2005129301.tif 000002
【特許請求の範囲】
【請求項１】
収納部を有するハウジングと、この収納部の内底面に設けられた固定接点と、この固定接点上に配設された可動接点と、前記ハウジングより突出する押圧部を有する操作部材と、前記ハウジングの上面に取付けられた枠体とを備え、前記枠体に可撓性を有する弾性腕部を形成し、この弾性腕部の上面に前記押圧部を所定の厚みで突出させて、前記操作部材を前記枠体に一体に形成し、前記操作部材を前記弾性腕部を介して前記可動接点上に昇降可能に保持したことを特徴とする押釦スイッチ。
【請求項２】
前記枠体及び弾性腕部を金属板材で形成すると共に、前記操作部材を、前記弾性腕部を形成する金属材よりも軟質な金属材で形成し、この金属材を上下から挟み込むようにして変形させて前記弾性腕部に固着したことを特徴とする請求項１記載の押釦スイッチ。
【請求項３】
前記操作部材は、前記可動接点と対向する下面側よりも、前記弾性腕部より上面側に突出する前記押圧部の方が幅広に形成されていることを特徴とする請求項１、又は２記載の押釦スイッチ。
【請求項４】
前記操作部材には、前記可動接点と対向する下面側に、中詰まり状の先細部を形成したことを特徴とする請求項１乃至３の何れかに記載の押釦スイッチ。
【請求項５】
前記弾性腕部を、前記操作部材を挟んで両側に張り出して形成し、前記操作部材を前記枠体によって前記ハウジングに保持したことを特徴とする請求項１乃至４の何れかに記載の押釦スイッチ。
【請求項６】
前記ハウジングに、変形可能な保持部を形成し、この保持部を変形させることにより前記枠体を前記ハウジングに固着したことを特徴とする請求項１乃至５の何れかに記載の押釦スイッチ。
【請求項７】
前記ハウジングの上面には、絶縁性シートが配設され、この絶縁性シートの周縁を挟持した状態で前記枠体が前記ハウジングに固着されていることを特徴とする請求項１乃至６の何れかに記載の押釦スイッチ。
【発明の詳細な説明】
【技術分野】
【０００１】
本発明は、各種電子機器の操作用スイッチとして使用される押釦スイッチに係り、特に、薄型の縦押しタイプの押釦スイッチに関する。
【背景技術】
【０００２】
従来の押釦スイッチの構造としては、複数の固定接点が配設されたスイッチケースに、固定接点と接離する可動接点、及びこの可動接点を駆動する操作部材である駆動体を収納し、この駆動体の押圧用突部が昇降可能なように、スイッチケースから突出させた状態でスイッチケースの上面側にカバー部材である金属カバーを取付けた押釦スイッチが知られている（例えば、特許文献１参照）。
【０００３】
以下、従来の押釦スイッチの構造を図に基づいて説明する。
図９は従来の押釦スイッチの断面図、図１０は従来の押釦スイッチの分解斜視図である。
【０００４】
図において、３３は上面開放で周囲に高さ寸法よりも広い幅の壁部３４を有する上面視・長方形の樹脂製のスイッチケースで、その内底面に中央固定接点２３およびこれを挟む対称位置の二つの外側固定接点２４Ａ，２４Ｂが長方形の長手方向側にインサート成形固定され、その長手方向の対辺３５Ａ，３５Ｂから二つずつの接続用端子２６Ａ，２７Ａおよび２６Ｂ，２７Ｂが導出されている。
【０００５】
また、このスイッチケース３３内の外側固定接点２４Ａ，２４Ｂ上に外周下端２８Ａが載るように円形ドーム状可動接点２８が収容されている。また、スイッチケース３３の周囲の壁部３４の四隅上にそれぞれＬ字形の支持部３６が設けられている。また、上記の壁部３４の高さが円形ドーム状可動接点２８の中央頂点部２８Ｂと同等以上の高さとなっている。
【０００６】
３７は剛性絶縁樹脂製の駆動体で、その中間部の長方形平板部３７Ａを上記スイッチケース３３の四ヶ所のＬ字形の支持部３６により上下動可能に支持され、その下面中心の突起３７Ｂが円形ドーム状可動接点２８の中央頂点部２８Ｂに当接していると共に、長方形平板部３７Ａの上面中心に押圧用突部３７Ｃを有している。
【０００７】
３８は金属カバーで、スイッチケース３３の四ヶ所のＬ字形の支持部３６上に載せられ、その側壁部３８Ａ下端の係止用爪部３８Ｂを、スイッチケース３３の外周の、四ヶ所の支持部３６の下方に設けられた四ヶ所の段部３３Ａにはめ込むことにより固定され、上面の中央孔３８Ｃから駆動体３７の押圧用突部３７Ｃが突出している。
【０００８】
以上のように構成される本実施の形態によるプッシュオンスイッチが使用電子機器に装着されて駆動体３７の押圧用突部３７Ｃの上面を押圧操作される時の動作は、駆動体３７の突起３７Ｂを介して円形ドーム状可動接点２８が押圧変形させられるので、その押圧位置が安定し、したがってスイッチ動作がより安定しているものである。
【０００９】
また、上記の説明においては、駆動体３７の突起３７Ｂが円形ドーム状可動接点２８の中央頂点部２８Ｂに直接当接する構成について説明したが、スイッチケース３３の上面開口部を覆うように、下面に粘着剤を塗布された可撓性の絶縁フィルム（図示せず）を周囲の壁部３４上に貼り付け、この可撓性の絶縁フィルムを介して駆動体３７の突起３７Ｂが円形ドーム状可動接点２８の中央頂点部２８Ｂを押圧する構成とすることにより、スイッチ接点部の防塵性能が向上できるものとなる。
【００１０】
【特許文献１】特開２０００−２９４０７９号公報
【発明の開示】
【発明が解決しようとする課題】
【００１１】
しかしながら、上述した従来の押釦スイッチの構造においては、スイッチケースの上面側に、駆動体の押圧用突部が突出されると共に、駆動体の抜け止め用としての金属カバーが取付けられており、この金属カバーの高さ分、押釦スイッチを薄型化できないという問題があった。
また、駆動体をスイッチ本体に設けずに、電子機器側のステム（操作ツマミ）で対応させる場合も考えられるが、この場合には、取付けに位置ずれがあった場合、可動接点の頂部が正確に押されずに、操作フィーリングを損なうという問題があった。
【００１２】
したがって、本発明では上述した問題点を解決し、薄型化、小型化が可能であると共に、操作フィーリングの良好な押釦スイッチを提供することを目的とする。
【課題を解決するための手段】
【００１３】
上記課題を解決するために本発明では第１の解決手段として、収納部を有するハウジングと、この収納部の内底面に設けられた固定接点と、この固定接点上に配設された可動接点と、前記ハウジングより突出する押圧部を有する操作部材と、前記ハウジングの上面に取付けられた枠体とを備え、前記枠体に可撓性を有する弾性腕部を形成し、この弾性腕部の上面に前記押圧部を所定の厚みで突出させて、前記操作部材を前記枠体に一体に形成し、前記操作部材を前記弾性腕部を介して前記可動接点上に昇降可能に保持した構成とした。
【００１４】
また、第２の解決手段として、前記枠体及び弾性腕部を金属板材で形成すると共に、前記操作部材を、前記弾性腕部を形成する金属材よりも軟質な金属材で形成し、この金属材を上下から挟み込むようにして変形させて前記弾性腕部に固着した構成とした。
また、第３の解決手段として、前記操作部材は、前記可動接点と対向する下面側よりも、前記弾性腕部より上面側に突出する前記押圧部の方が幅広に形成されている構成とした。
【００１５】
また、第４の解決手段として、前記操作部材には、前記可動接点と対向する下面側に、中詰まり状の先細部を形成した構成とした。
また、第５の解決手段として、前記弾性腕部を、前記操作部材を挟んで両側に張り出して形成し、前記操作部材を前記枠体によって前記ハウジングに保持した構成とした。
【００１６】
また、第６の解決手段として、前記ハウジングに、変形可能な保持部を形成し、この保持部を変形させることにより前記枠体を前記ハウジングに固着した構成とした。
また、第７の解決手段として、前記ハウジングの上面には、絶縁性シートが配設され、この絶縁性シートの周縁を挟持した状態で前記枠体が前記ハウジングに固着されている構成とした。
【発明の効果】
【００１７】
以上説明したように、本発明の押釦スイッチは、収納部を有するハウジングと、収納部の内底面に設けられた固定接点と、固定接点上に配設された可動接点と、ハウジングより突出する押圧部を有する操作部材と、ハウジングの上面に取付けられた枠体とを備え、枠体に可撓性を有する弾性腕部を形成し、弾性腕部の上面に押圧部を所定の厚みで突出させて、操作部材を枠体に一体に形成し、操作部材を弾性腕部を介して可動接点上に昇降可能に保持したことから、操作部材とハウジングとを枠体の弾性腕部を介して接続したので、操作部材を抜け止めするためのカバー部材が不要となり、薄型化が図れると共に、可動接点の頂部が正確に押圧されるので、精度良い押圧操作が可能となる。
また、押圧部を弾性腕部の上面に所定の厚みで突出させたので、電子機器側のステム（操作ツマミ）が弾性腕部と干渉することがなく、操作部材を支持する弾性腕部が捻れなどで破損することがない。
【００１８】
また、枠体及び弾性腕部を金属板材で形成すると共に、操作部材を、弾性腕部を形成する金属材よりも軟質な金属材で形成し、金属材を上下から挟み込むようにして変形させて弾性腕部に固着したことから、弾性腕部に操作部材を固着する場合に、弾性腕部の材料に対して軟らかい材料なので加工が容易となり、上面の押圧部や下面側の形状を精度良く形成することができる。
また、操作部材は、可動接点と対向する下面側よりも、弾性腕部より上面側に突出する押圧部の方が幅広に形成されていることから、押圧部が押圧操作される際の脱落などの発生を防止できると共に、電子機器側のステム（操作ツマミ）との位置合わせが容易に行える。
【００１９】
また、操作部材には、可動接点と対向する下面側に、中詰まり状の先細部を形成したことから、押釦スイッチの小型化に対応した小型の可動接点においても、頂部を確実に押圧することができ、先端部が中詰まり状に形成してあるので、繰り返し動作においてもつぶれにくく寿命性が良い。
また、弾性腕部を、操作部材を挟んで両側に張り出して形成し、操作部材を枠体によってハウジングに保持したことから、回路基板への実装時に、操作部材の押圧部を吸引する際に、両側の弾性部材によりスイッチが傾くことがないので、画像処理などによる位置合わせや、クリーム半田上への組み立てを精度良く行なうことができる。
【００２０】
また、ハウジングに、変形可能な保持部を形成し、保持部を変形させることにより枠体をハウジングに固着したことから、ハウジングに形成した保持部を、プレスなどでかしめるだけの方法で簡単に組立てることができる。
また、ハウジングの上面には、絶縁性シートが配設され、絶縁性シートの周縁を挟持した状態で枠体がハウジングに固着されていることから、外部からの塵埃の侵入を防止するための絶縁性シートを強固に保持できるので、操作部材の押圧による絶縁性シートの剥がれを防止することができる。また、絶縁性シートを設けることにより、弾性腕部や操作部材を金属材で形成しても静電気の侵入を防止することができる。
【発明を実施するための最良の形態】
【００２１】
以下、本発明の押釦スイッチの実施形態を図１乃至図６に示す。図１は押釦スイッチの平面図、図２は押釦スイッチの正面図、図３は押釦スイッチの断面図、図４は押釦スイッチの異なる方向の断面図、図５はハウジングの平面図、図６はハウジングに絶縁性シートを被せた状態の平面図、図７は押釦スイッチの押圧操作時における動作を説明する断面図、図８は押釦スイッチの押圧操作時における異なる方向の断面図である。
【００２２】
図において、ハウジング１は、合成樹脂などの絶縁材で上面が開口された方形状の箱型に形成されている。このハウジング１の上面には平面部１ａが設けられており、この平面部１ａの中央には略円形状をした収納部１ｂが設けられている。また、ハウジング１の平面部１ａの四隅部には、上方へ突出する保持部１ｃが形成されており、この保持部１ｃに後述する枠体６が位置決めされてかしめられることにより、枠体６が平面部１ａ上に固着されるものとなっている。
【００２３】
また、前記ハウジング１の内底部には、導電性の金属板などからなる端子材がインサート成形などの方法で一体的に埋設されており、この端子材の一端側が前記収納部１ｂの内底面に表出されて中央固定接点２、及び周辺固定接点３が形成されている。この周辺固定接点３は、中央固定接点２を挟んで対向する位置に一対配設されている。また、前記端子材の他端側は、前記ハウジング１の側面の下端側から導出されて接続端子２ａ、３ａが形成されている。この接続端子２ａ、３ａが図示しない電子機器の回路基板などに半田付けされて取付けられるものとなっている。
【００２４】
可動接点４は、ばね性を有する導電性の薄板金属板からなり、中央に反転可能なドーム状の膨出部４ａを有する円形状に形成されている。この可動接点４はハウジング１の収納部１ｂ内に収納され、周縁部４ｂが前記周辺固定接点３と接触し、膨出部４ａの頂部下面が中央固定接点２と離間した状態で対向して載置されている。
【００２５】
絶縁性シート５は、絶縁性のテフレンシートなどから形成されており、略八角形をしている。また、この絶縁性シート５の一面には粘着性の接着材が設けられており、この絶縁性シート５自体は可撓性を有している。この絶縁性シート５は、前記ハウジング１の収納部１ｂの開口を覆うように平面部１ａに貼着されており、ゴミ、塵埃などが収納部１ｂの内部に侵入して接点部が接触不良を起こすのを防ぐものとなっている。
【００２６】
また、この絶縁性シート５が、後述する操作部材７で押圧された際には、厚さ方向（上下方向）に撓むことで、操作部材７が可動接点４の膨出部４ａの頂部を押圧して、この可動接点４の下面と中央固定接点２とが接離するのを妨げないようになっている。
【００２７】
枠体６は、例えばステンレスなどの硬質な平板状の金属板で略方形状に形成されている。この枠体６の中央には、金属板を打ち抜いてフォーミングすることにより窓孔部６ａ、及びこの窓孔部６ａの中央に対向して配設された可撓性を有する一対の弾性腕部６ｂ、６ｂが形成されている。
【００２８】
また、前記窓孔部６ａの中央には、弾性腕部６ｂ、６ｂに連設して枠体６に一体に操作部材７が形成されている。この操作部材７は、チップ状の金属材からなり、前記弾性腕部６ｂの上面側に所定の厚みで突出して形成された上面が平坦状の押圧部７ａと、前記弾性腕部６ｂの下面側に突出して形成された先細状の駆動部７ｂとを有している。この操作部材７は、弾性腕部６ｂを介してハウジング１の収納部１ｂ内に収納された可動接点４上に昇降可能なように、前記枠体６に保持されたものとなっている。
【００２９】
また、前記操作部材７は、弾性腕部６ｂが設けられた枠体６を形成する金属板の材質に比べて、例えば黄銅等の軟質な金属材で形成されており、操作部材７を弾性腕部６ｂに固着する際には、弾性腕部６ｂの中心に設けた開口６ｄを挿通させたチップ状からなる軟質の金属材を上下から挟み込むようにして変形させることにより、弾性腕部６ｂの上下面に連通させて前記押圧部７ａと駆動部７ｂとを形成している。また、この弾性腕部６ｂの開口６ｄは内縁が傾斜しており、押圧部材７への食い込み部を形成している。
【００３０】
このように、枠体６及び弾性腕部６ｂを金属板材で形成すると共に、操作部材７を、この弾性腕部６ｂを形成する金属材よりも軟質な金属材で形成し、この金属材を上下から挟み込むようにして変形させて弾性腕部６ｂに固着するようにしている。硬質な金属材からなる弾性腕部６ｂを先細状に加工するのは困難であるが、操作部材７を弾性腕部６ｂの材料に対して加工が容易な別材料で形成したので、上面の押圧部７ａや下面側の駆動部７ｂの先細形状を精度良く形成することができるものとなる。そのため、操作フィーリングを損なうことのない様、ドーム頂部の大きさに対応した駆動部７ｂを形成でき、可動接点４の大きさが、より小径のものを用いることが可能となる。
【００３１】
また、前記操作部材７は、可動接点４と対向する下面側の駆動部７ｂよりも、弾性腕部６ｂより上面側に突出する押圧部７ａの方が幅広に形成されている。
このように、操作部材７の押圧部７ａが幅広で平坦状に形成されているので、押圧部７ａが、図示しない電子機器側のステム（操作ツマミ）で押圧操作される際、弾性腕部６ｂからの脱落などの発生を防止できると共に、電子機器側のステムとの位置合わせが容易に行えるものとなる。
【００３２】
また、操作部材７の下面側に形成された、可動接点４と対向する駆動部７ｂは、中詰まり状の先細状に形成されており、この場合に、使用される可動接点４が、押釦スイッチの小型化に対応した小型の可動接点であっても、この可動接点４の頂部を確実に押圧することができ、押圧時に当接する先端部を中詰まり状に形成してあるので、繰り返し動作においてもつぶれにくく、寿命性が良いものとなっている。
【００３３】
また、操作部材７が固着された枠体６の弾性腕部６ｂを、操作部材７を挟んで両側に張り出して形成するようにしており、この弾性腕部６ｂに固着された操作部材７を枠体６によってハウジング１に保持するようにしている。
このように、一対の弾性腕部６ｂ、６ｂによって操作部材７を枠体６に固着しているので、図示しない電子機器等の回路基板上へ押釦スイッチを実装する時には、操作部材７の押圧部７ａを吸引する際に、両側の弾性腕部６ｂ、６ｂにより押釦スイッチが傾くことがないので、画像処理装置などを利用した位置合わせや、クリーム半田上への組み立てを精度良く行なうことができるものとなっている。
【００３４】
また、枠体６の対角線上の四隅部には、保持用の係合凹部６ｃが形成されており、この係合凹部６ｃが、前記ハウジング１の平面部１ａの四隅部に設けられた保持部１ｃに係合されて、位置決めされると共に、保持部１ｃがプレスなどの方法でかしめられることにより枠体６がハウジング１の上面に固着されるものとなっている。このように、保持部１ｃを変形させることにより枠体６をハウジング１に固着するようにしたので、ハウジング１に形成した保持部１ｃを、プレスなどでかしめるだけの方法で簡単に組立てることができるものとなっている。
【００３５】
また、前記ハウジング１には、収納部１ａの開口を覆うように前記絶縁性シート５が貼着されるものとなっており、この時、前記絶縁性シート５の周縁を、挟持した状態で前記枠体６がハウジング１に固着されるものとなっている。
このため、外部からの塵埃の侵入を防止するための前記絶縁性シート５を、ハウジング１の開口部に強固に保持できるので、操作部材７の押圧による絶縁性シート５の剥がれを防止することができるものとなり、また、絶縁性シート５を設けることにより、弾性腕部６ｂや操作部材７を金属材で形成しても静電気の侵入を防止することができるものとなっている。
尚、絶縁性シート５の周縁は、４つの保持部１ｃによって囲まれた内側に貼付けされるので、接着面がハウジング１の外側へはみ出すことがなく、押釦スイッチの実装時の搬送不良を防止することができる。また、仮に、貼付け位置ずれがあったとしても、保持部１ｃとの隙間や、乗り上げの有無で容易に検出することができる。
【００３６】
上記した構成の押釦スイッチの動作を説明すると、電子機器側のステム１０の押圧操作に伴い、操作部材７の押圧部７ａの平坦面が押され、操作部材７が弾性腕部６ｂの有する可撓性により下側に移動し、下面側に設けられた駆動部７ｂが、絶縁性シート５を介して対向して配設された可動接点４の膨出部４ａの頂部を押圧する。
【００３７】
この押圧により、可動接点４の膨出部４ａが下方へ反転し、頂部下面が中央固定接点２と接触することで可動接点４を介して中央固定接点２と周辺固定接点３とが接続されてスイッチがオン状態となる。
この状態から、操作部材７の押圧部７ａへの押圧力が解除されると、可動接点４の有するばね性によって、可動接点４の膨出部４ａが初期の状態（上方）に反転し、操作部材７も初期の状態へ復帰する。この状態では可動接点４は中央固定接点２から離間した状態となり、スイッチがオフ状態となる。
【００３８】
上記した本発明の実施例によれば、ハウジング１の上面に固着される枠体６に、可撓性を有する一対の弾性腕部６ｂを形成して、この弾性腕部６ｂの上面側に、押圧部７ａを所定の厚みで突出させて、操作部材７を前記枠体６に一体に形成すると共に、この操作部材７を、前記弾性腕部６ｂを介して可動接点４上に昇降可能に保持するようにしてあり、前記操作部材７とハウジング１とを枠体６の弾性腕部６ｂを介して接続するようにしたので、操作部材７を抜け止めするための別部品からなるカバー部材が不要となり、スイッチの薄型化が図れると共に、電子機器側のステム１０（操作ツマミ）が位置ずれして操作部材７を押圧したとしても、押圧部７ａの下面側の駆動部７ｂと可動接点４との当接部が位置ずれしないで一定のため、可動接点４の頂部が正確に押圧されるので、精度良い押圧操作が可能となっている。
また、押圧部７ａを、弾性腕部６ｂの上面側に、所定の厚みで突出させて形成したので、電子機器側のステム１０が弾性腕部６ｂと干渉することがなく、操作部材７を支持する弾性腕部６ｂが、捻れなどで破損することがない。
【００３９】
尚、上記実施例では、操作部材７を、チップ状の金属材で形成したが、これに限らず、合成樹脂などの絶縁材で形成しても良く、この場合には、枠体６の弾性腕部６ｂにインサート成形などの方法で一体化すれば良く、この場合においても成形金型で押圧部７ａ及び駆動部７ｂを精度良く形成することができる。
また、この場合には、静電気対策としての絶縁性シート５の貼着は不要となり、構成の簡易化が図れるものとなる。
【図面の簡単な説明】
【００４０】
【図１】本発明の押釦スイッチを示す平面図である。
【図２】本発明の押釦スイッチを示す正面図である。
【図３】本発明の押釦スイッチを示す断面図である。
【図４】本発明の押釦スイッチを示す図３とは異なる方向の断面図である。
【図５】本発明のハウジングを示す平面図である。
【図６】本発明のハウジングに絶縁性シートを被せた状態を示す平面図である。
【図７】本発明の押釦スイッチの押圧操作時における動作を説明する断面図である。
【図８】本発明の押釦スイッチの押圧操作時における異なる方向の断面図である。
【図９】従来の押釦スイッチを示す断面図である。
【図１０】従来の押釦スイッチを示す分解斜視図である。
【符号の説明】
【００４１】
１：ハウジング
１ａ：平面部
１ｂ：収納部
１ｃ：保持部
２：中央固定接点
２ａ：接続端子
３：周辺固定接点
３ａ：接続端子
４：可動接点
４ａ：膨出部
４ｂ：周縁部
５：絶縁性シート
６：枠体
６ａ：窓孔部
６ｂ：弾性腕部
６ｃ：係合凹部
７：操作部材
７ａ：押圧部
７ｂ：駆動部
【図１】
2005129301.tif 000003
【図２】
2005129301.tif 000004
【図３】
2005129301.tif 000005
【図４】
2005129301.tif 000006
【図５】
2005129301.tif 000007
【図６】
2005129301.tif 000008
【図７】
2005129301.tif 000009
【図８】
2005129301.tif 000010
【図９】
2005129301.tif 000011
【図１０】
2005129301.tif 000012